(57)【要約】【課題】箱の表面に貼り付けた各種の情報ラベルを簡易に剥がせるようにする。【解決手段】箱Ｃには、左側面板１４の２側縁部１４１、１４２間に２側縁部１４１、１４２と平行に２本の折り目２が、左側面板１４を各折り目２を凸にして変形可能に付設されて、情報ラベル３が左側面板１４に折り目２を跨いで着脱可能に貼り付けられ、左側面板１４から情報ラベル３を剥がす際に、左側面板１４の２側縁部１４１、１４２を各折り目２の方向に押圧することにより、左側面板１４を各折り目２を凸にして変形させて、情報ラベル３の２側縁部１４１、１４２側の端部を左側面板１４から浮かせるようにした。【選択図】図６
2019104514.tif 000002
【特許請求の範囲】
【請求項１】
箱表面の角をなす平行な２側縁部の間に形成される任意の面に、各種の情報を表示された情報ラベルが着脱可能に貼り付けられる情報ラベル付き包装用箱であって、
前記任意の面の前記２側縁部の間に前記２側縁部と平行に折り目が、前記任意の面を前記折り目を凸にして変形可能に付設されて、
前記情報ラベルは前記任意の面に前記折り目を跨いで着脱可能に貼付され、
前記任意の面から前記情報ラベルを剥がす際に、前記任意の面の前記２側縁部を前記折り目の方向に押圧することにより、前記任意の面を前記折り目を凸にして変形させて、前記情報ラベルの前記２側縁部側の端部を前記任意の面から浮かせる、
ことを特徴とする情報ラベル付き包装用箱。
【請求項２】
任意の面に折り目は２本、前記任意の面の２側縁部間の中心を対称中心として対称的に付設されて、前記情報ラベルは前記任意の面に前記各折り目を跨いで着脱可能に貼付され、前記任意の面の前記２側縁部を前記各折り目の方向に押圧することにより、前記任意の面が前記２本の折り目を凸にして略台形状に変形される請求項１に記載の情報ラベル付き包装用箱。
【請求項３】
情報ラベルは、表面を剥離加工され、裏面に粘着剤を塗布される剥離シートと、表面に各種の情報を表示され、裏面に粘着剤を塗布されて、前記剥離シートの表面に着脱可能に貼付される情報表示ラベルとからなり、前記情報ラベルは任意の面に前記剥離シートを介して前記剥離シート裏面の粘着剤により貼付されて、前記情報表示ラベルが前記任意の面に着脱可能に貼り付けられる請求項１又は２に記載の情報ラベル付き包装用箱。
【請求項４】
情報ラベルは情報表示ラベルが複数の小ラベルからなり、前記複数の小ラベルはそれぞれ、前記剥離シート上に、任意の面の２側縁部の延びる方向に並列に相互間に切り取り線を介して連接され、個々に切り離し可能に貼付される請求項３に記載の情報ラベル付き包装用箱。
【請求項５】
情報ラベルは情報表示ラベルが複数の小ラベルからなり、前記複数の小ラベルはそれぞれ、前記剥離シート上に、任意の面の２側縁部の延びる方向に並列に、かつ各列がさらに前記２側縁部の中央で分割可能に、相互間に切り取り線を介して連接され、個々に切り離し可能に貼付される請求項３に記載の情報ラベル付き包装用箱。
【請求項６】
各小ラベルは浮かせる端部が当該端部の端縁に向けて漸次幅狭に形成される請求項４又は５に記載の情報ラベル付き包装用箱。
【発明の詳細な説明】
【技術分野】
【０００１】
本発明は、箱の表面に各種の情報を表示された情報ラベルが着脱可能に貼り付けられ、情報ラベルを各種の用途に使用する情報ラベル付き包装用箱に関する。
【背景技術】
【０００２】
この種の情報ラベル付き包装箱として、医薬品に関する情報が印刷された情報ラベルが箱の一側面に貼着され、この情報ラベルを医薬品の管理に使用するようにした医薬品情報ラベル付き包装用箱が知られている。
【０００３】
このような医薬品情報ラベル付き包装用箱が、例えば特許文献１に記載されている。
医薬品の包装には、医薬品が個包装され、更に、複数の個包装体を梱包箱等の外箱に収容する、いわゆる二重包装形態にすることがあり、印刷などによる個別の個包装体への事前の情報付与が困難な場合がある。この場合、外箱にラベルシートを張ることになる。このラベルシートは、医薬品に関する情報が印刷された複数（通常は外箱内に収容する個包装体の数分）のラベルで構成されており、薬剤師等が必要な段階でラベルシートからラベルを剥離して、個包装体に粘着することにより貼着する。
この包装用箱では、医薬品情報付与ラベルシートが、離型シート上に、裏面側に第３粘着層が形成される第２離型シートが配置され、第２離型シート上に、表面側に医薬品に関する情報が付され裏面側に第１粘着層が形成されるラベル基材が配置され、ラベル基材上に、裏面側に第２粘着層が形成される透明表面保護フィルムが配置されてなる。
そして、ラベル基材は、情報が付されたラベル部と、その外周部と、が第１切離線で区画され、離型シートが、平面視で医薬品情報付与ラベルシートの中央部と両端部を区画する位置であって、かつ、第１切離線と平面視で重ならない位置に、少なくとも２本の第２切離線が形成され、ラベル基材から離型シートまでを積層状態のまま切断可能な第３切離線が、平面視でラベル部と第２切離線との間に形成される。
このようにして医薬品情報付与ラベルシートのうち、離型シートの両端部を、第２切離線を起点にして剥離し、中間部を残すことによって、両端部に相当する第３粘着層が両端に露出するので、医薬品が梱包された外箱に貼着することができる。そして、この医薬品情報付与ラベルシートの最表面には、透明表面保護フィルムが配置されているので、仮に外箱に医薬品情報付与ラベルシートが貼着される状態においても、外箱の輸送中においても、医薬品情報付与ラベルシートの汚れ又は剥がれに起因する、医薬品に関する情報の消失を防止することができる。なお、その後、透明表面保護フィルム及び第３粘着層は剥離される。そして、第３切離線を切断して、切り取り部を切り取る。このとき、中間部の離型シートが残っており、両端部があった位置は露出した第３粘着層によって外箱に固着される。このため、切り取り部側のラベルシートの端部が外箱から浮き、この浮きによって、医薬品情報付与ラベルシートに自由端が生じて、手で簡単に反らせたり曲げたりすることができるので、医薬品情報付与ラベルシートからラベルを容易に剥がすことができ、医薬品個包装体上に確実に貼ることができる。
【先行技術文献】
【特許文献】
【０００４】
【特許文献１】実用新案登録第３２００３５７号公報
【発明の概要】
【発明が解決しようとする課題】
【０００５】
しかしながら、上記従来（特許文献１）の包装用箱では、箱に貼り付けられた医薬品情報ラベルから個々のラベルを容易に剥がすようにするために、医薬品情報ラベルに複数の切離線が必要で、医薬品情報ラベルの加工が煩雑となる、という問題がある。
【０００６】
本発明は、このような従来の問題を解決するもので、この種の情報ラベル付き包装用箱において、箱の表面に貼り付けた各種の情報ラベルを簡易に剥がすことができるようにすること、を目的とする。
【課題を解決するための手段】
【０００７】
上記目的を達成するために、本発明は、
箱表面の角をなす平行な２側縁部の間に形成される任意の面に、各種の情報を表示された情報ラベルが着脱可能に貼り付けられる情報ラベル付き包装用箱であって、
前記任意の面の前記２側縁部の間に前記２側縁部と平行に折り目が、前記任意の面を前記折り目を凸にして変形可能に付設されて、
前記情報ラベルは前記任意の面に前記折り目を跨いで着脱可能に貼付され、
前記任意の面から前記情報ラベルを剥がす際に、前記任意の面の前記２側縁部を前記折り目の方向に押圧することにより、前記任意の面を前記折り目を凸にして変形させて、前記情報ラベルの前記２側縁部側の端部を前記任意の面から浮かせる、
ことを要旨とする。
この場合、任意の面に折り目は２本、前記任意の面の２側縁部間の中心を対称中心として対称的に付設されて、前記情報ラベルは前記任意の面に前記各折り目を跨いで着脱可能に貼付され、前記任意の面の前記２側縁部を前記各折り目の方向に押圧することにより、前記任意の面が前記２本の折り目を凸にして略台形状に変形されることが好ましい。
この場合、情報ラベルは、表面を剥離加工され、裏面に粘着剤を塗布される剥離シートと、表面に各種の情報を表示され、裏面に粘着剤を塗布されて、前記剥離シートの表面に着脱可能に貼付される情報表示ラベルとからなり、前記情報ラベルは任意の面に前記剥離シートを介して前記剥離シート裏面の粘着剤により貼付されて、前記情報表示ラベルが前記任意の面に着脱可能に貼り付けられることが好ましい。
この場合、情報ラベルは情報表示ラベルが複数の小ラベルからなり、前記複数の小ラベルはそれぞれ、前記剥離シート上に、任意の面の２側縁部の延びる方向に並列に相互間に切り取り線を介して連接され、個々に切り離し可能に貼付されることが好ましい。
この場合、情報ラベルは情報表示ラベルが複数の小ラベルからなり、前記複数の小ラベルはそれぞれ、前記剥離シート上に、任意の面の２側縁部の延びる方向に並列に、かつ各列がさらに前記２側縁部の中央で分割可能に、相互間に切り取り線を介して連接され、個々に切り離し可能に貼付されることが好ましい。
この場合、各小ラベルは浮かせる端部が当該端部の端縁に向けて漸次幅狭に形成されることが好ましい。
【発明の効果】
【０００８】
本発明の情報ラベル付き包装用箱によれば、箱表面の角をなす平行な２側縁部の間に形成される任意の面の２側縁部の間に２側縁部と平行に折り目が、任意の面を折り目を凸にして変形可能に付設されて、情報ラベルは任意の面に折り目を跨いで着脱可能に貼り付けられ、任意の面から情報ラベルを剥がす際に、任意の面の２側縁部を折り目の方向に押圧することにより、任意の面を折り目を凸にして変形させて、情報ラベルの２側縁部側の端部を任意の面から浮かせるようにしたので、箱の表面に貼り付けた各種の情報ラベルの端部を指先で摘みやすくして、箱の表面から各種の情報ラベルを簡易に剥がすことができる、という本発明独自の格別な効果を奏する。
【図面の簡単な説明】
【０００９】
【図１】本発明の一実施の形態における情報ラベル付き包装用箱の外部構成を示す図（（ａ）は蓋が閉じられた状態の左側面側からみた斜視図（ｂ）は蓋が開けられた状態の左側面側からみた斜視図）
【図２】同箱を展開した状態を示す図（展開図）
【図３】同箱の正面、背面の構成を示す図（（ａ）は正面図（ｂ）は背面図）
【図４】同箱の平面、底面の構成を示す図（（ａ）は平面図（ｂ）は底面図）
【図５】同箱の右側面、左側面の構成を示す図（（ａ）は右側面図（ｂ）は左側面図）
【図６】同箱の情報ラベルの剥がし方を示す図
【図７】同箱が各種の形状、構造を持つ箱に適用できることを説明するための図（（ａ）は正面図（ｂ）は背面図）
【図８】同箱が各種の形状、構造を持つ箱に適用できることを説明するための図（（ａ）は平面図（ｂ）は底面図）
【図９】同箱が各種の形状、構造を持つ箱に適用できることを説明するための図（（ａ）は右側面図（ｂ）は左側面図）
【発明を実施するための形態】
【００１０】
次に、この発明を実施するための形態について図を用いて説明する。
図１乃至図６に情報ラベル付き包装用箱を示している。
図１に示すように、情報ラベル付き包装用箱Ｃ（以下、包装用箱Ｃ又は箱Ｃという場合がある。）は、所謂板紙と呼ばれる比較的厚さがあり直立性のある紙材により形成され、箱Ｃの正面、背面及び左右両側面をなす４側面板１１−１４と、箱Ｃの底面をなす底面板１５と、箱Ｃの天面をなす天蓋１６とにより構成され、箱Ｃ表面の角をなす平行な２側縁部の間に形成される任意の面に、各種の情報を表示された情報ラベル３が着脱可能に貼り付けられる。
【００１１】
この箱Ｃの場合、全体が、縦に少し長い直方体状に構成され、背面板１１、正面板１３はそれぞれ、同じ大きさの少し縦長の長方形で、左側面板１４、右側面板１２はそれぞれ、背面板１１、正面板１３よりも幅が狭い同じ大きさの縦長の長方形になっている。なお、この場合、正面板１３の左側面板１４とは反対側の側縁部（右側縁部）に接続片１１１が形成され、この接続片１１１が右側面板１２の内面で正面側の側部に糊を介して接続される。
【００１２】
底板１５は、図２及び図４（ｂ）に示すように、４側面板１１−１４の各端縁部、この場合、左右の各側面板１４、１２の下端縁部から罫線Ｌ９、Ｌ１２（なお、罫線Ｌ９、Ｌ１２はミシン目線でもよい。）を介して連接される左右一対のフラップ１５３、１５４と、背面板１１の下端縁部から罫線Ｌ５を介して連接される内蓋１５５と、正面板１３の下端縁部から罫線Ｌ１１を介して連接される外蓋１５６とからなる。
【００１３】
天蓋１６は、図２及び図４（ａ）に示すように、４側面板１１−１４のうちの３側面板１４、１２、１１の各端縁部、この場合、左側面板１４、右側面板１２の上端縁部から罫線Ｌ１０、Ｌ１３（なお、罫線Ｌ１０、Ｌ１３はミシン目線でもよい。）を介して連接される左右一対のフラップ１６３、１６４と、背面板１１の上端縁部から罫線Ｌ７を介して連接される蓋１６１及びこの蓋１６１の先端から突出される差し込み片１６２とからなる。
【００１４】
この包装用箱Ｃは、底面開口が各フラップ１５３、１５４を介して内蓋１５５、外蓋１５６により閉じられ、外蓋１５６が内蓋１５５に糊付けされて封止され、天面開口が各フラップ１６３、１６４を介して蓋１６１により閉じられ、蓋１６１先端の差し込み片１６２が正面板１３内面の天面側の端部に糊付けされて封止される。なお、蓋１６１は糊付けに代えて封緘テープで封止されることもある。
【００１５】
そして、この包装用箱Ｃでは、図２及び図５（ｂ）に示すように、箱Ｃ表面の角をなす平行な２側縁部の間に形成される任意の面として左側面板１４が選定され、この左側面板１４の正面側及び背面側の２側縁部１４１、１４２の間にこれら２側縁部１４１、１４２と平行に折り目２が、この左側面板１４を折り目２を凸にして変形可能に付設され、図５（ｂ）に示すように、情報ラベル３がこの左側面板１４に折り目２の上から折り目２を跨いで着脱可能に貼付される。
【００１６】
この場合、左側面板１４に折り目２は２本、左側面板１４の２両側縁部１４１、１４２間の中心を対称中心として対称的に付設される。また、この場合、正面側の折り目２の天面側端部２１は左側面板１４の上縁部１４３の正面側の一端（図５（ｂ）中、右端）に向けて斜めに正面側の一端まで延ばされ、底面側端部２２は左側面板１４の下縁部１４４の正面側の一端（図５（ｂ）中、右端）に向けて斜めに正面側の一端まで延ばされる。また、背面側の折り目２の天面側端部２３は左側面板１４の上縁部１４３の背面側の他端（図５（ｂ）中、左端）に向けて斜めに背面側の他端まで延ばされ、底面側端部２４は左側面板１４の下縁部１４４の背面側の他端（図５（ｂ）中、左端）に向けて斜めに背面側の他端まで延ばされる。さらに、この場合、２本の折り目２は２側縁部１４１、１４２と平行な部分がミシン線（ミシン目）により、天面側、底面側の各端部２１、２３、２２、２４が罫線により、各折り目２が外側に向けて凸となるように形成される。なお、これら２本の折り目２は全体がミシン線又は罫線で形成されてもよく、各折り目２が外側に向けて凸となれば、折り目２の付け方は任意である。このようにして左側面板１４の２側縁部１４１、１４２を各折り目２の方向に押圧することにより、左側面板１４を２本の折り目２を凸にして略台形状に変形可能に構成される。
【００１７】
この場合、情報ラベル３は、図５（ｂ）に示すように、表面を剥離加工され、裏面に粘着剤を塗布される剥離シート３１と、表面に各種の情報を表示され、裏面に粘着剤を塗布され、剥離シート３１の表面に着脱可能に貼付される紙製のシートからなる情報表示ラベル３２とからなり、情報ラベル３は左側面板１４に剥離シート３１を介して剥離シート３１裏面の粘着剤により貼付されて、情報表示ラベル３２が左側面板１４に着脱可能に貼り付けられる。なお、ここでは、剥離シート３１は無色透明のフィルムシートからなり、情報表示ラベル３２は紙製又は合成樹脂製のシートからなる。また、この場合、情報ラベル３は情報表示ラベル３２が複数の小ラベル３２１からなり、複数の小ラベル３２１はそれぞれ、剥離シート３１上に、左側面板１４の２側縁部１４１、１４２の延びる方向に並列に、かつ各列がさらに２側縁部１４１、１４２の中央で分割可能に、相互間に切り取り線３３を介して連接され、個々に切り離し可能に貼付される。なお、ここでは、複数の小ラベル３２１が２側縁部１４１、１４２の中央でさらに分割されるように形成されているが、小ラベル３２１の各列が２両側縁部１４１、１４２の中央で分割されていなくてもよい。すなわち、複数の小ラベル３２１はそれぞれ、剥離シート３１上に、左側面板１４の２側縁部１４１、１４２の延びる方向に並列に相互間に切り取り線３３を介して連接され、個々に切り離し可能に貼付されるものとしてもよい。さらに、この場合、各小ラベル３２１は浮かせる端部（つまり、各折り目２から外側にはみ出される端部）が当該端部の端縁に向けて漸次幅狭に、ここでは略半円形に形成される。なお、この端部は略半円形に代えて、略台形、略三角形などであってもよい。このようにして情報ラベル３は左側面板１４に各折り目２を跨いで着脱可能に貼付される。
【００１８】
情報ラベル付き包装用箱Ｃは、かかる構成を備え、左側面板１４から情報ラベル３を剥がす際に、左側面板１４の２側縁部１４１、１４２を各折り目２の方向に押圧することにより、左側面板１４を各折り目２を凸にして変形させて、情報ラベル３の２側縁部１４１、１４２側の端部を左側面板１４の２側縁部１４１、１４２側から浮かせるようになっている。すなわち、図６に示すように、この箱Ｃの左側面板１４の２側縁部１４１、１４２を各折り目２の方向に押圧すると、左側面板１４は各折り目２を凸にして略台形状に変形され、このときに、剥離シート３１は裏面の粘着剤により左側面板１４に接着されているので、左側面板１４と一体に略台形に変形して、剥離シート３１の両端が斜めに突き出される。一方、各情報表示ラベル３２は剥離シート３１の剥離加工された面に剥離可能に接着されているので、各情報表示ラベル３２の端部が剥離シート３１から剥がされて、略台形状に変形された左側面板１４の両側で浮いた状態となる。しかも、各情報表示ラベル３２の端部は略半円形に形成されて端縁に向けて漸次幅狭になっているので、各情報表示ラベル３２の端部は個別に分かれている。したがって、各情報表示ラベル３２（各小ラベル３２１）の端部は指先で摘みやすく、各情報表示ラベル３２（各小ラベル３２１）を剥離シート３１から簡単に剥がすことができる。
【００１９】
この情報ラベル付き包装用箱Ｃは、例えば小児用ワクチンの包装に使用され、各情報表示ラベル３２（各小ラベル３２１）に例えば小児用ワクチン名が印刷により表示されることで、医療機関において、この箱Ｃから小児用ワクチンが取り出されて使用された際に、箱Ｃから情報表示ラベル３２（各小ラベル３２１）を剥がして、カルテや母子手帳などに貼り付けることにより、小児用ワクチンの履歴管理に利用することができる。
この箱Ｃから情報表示ラベル３２を剥がすときは、既述のとおり、左側面板１４の２側縁部１４１，１４２を各折り目２の方向に押圧することにより、左側面板１４を各折り目２を凸にして略台形に変形させて、情報ラベル３（各小ラベル３２１）の２側縁部１４１、１４２側の端部を左側面板１４から浮かせることで、箱Ｃから各情報表示ラベル３２（各小ラベル３２１）を容易に剥がし取ることができる。
【００２０】
なお、この情報ラベル付き包装用箱Ｃは背景技術の欄で説明した従来の医薬品情報ラベル付き包装用箱にも同様に適用することができ、従来の医薬品情報ラベル付き包装用箱の任意の面の２側縁部の間に２側縁部と平行に折り目が、任意の面を折り目を凸にして変形可能に付設され、情報ラベルが任意の面に折り目を跨いで着脱可能に貼付されることで、外箱から各情報表示ラベルを容易に剥がし取ることができる。
【００２１】
以上説明したように、この情報ラベル付き包装用箱Ｃによれば、箱Ｃの任意の面とした左側面板１４の２側縁部１４１、１４２の間に２側縁部１４１、１４２と平行に２本の折り目２が、左側面板１４を各折り目２を凸にして略台形に変形可能に付設されて、情報ラベル３は左側面板１４に折り目２を跨いで着脱可能に貼り付けられ、この左側面板１４から情報ラベル３を剥がす際に、左側面板１４の２側縁部１４１、１４２を各折り目２の方向に押圧することにより、左側面板１４を各折り目２を凸にして変形させて、情報ラベル３の２側縁部１４１、１４２側の端部を左側面板１４から浮かせるようにしたので、箱Ｃの表面に貼り付けた各種の情報ラベル３（各小ラベル３２１）の端部を指先で摘みやすくして、箱Ｃの表面から各種の情報ラベル３（各小ラベル３２１）を簡易に剥がすことができる。
【００２２】
なお、この実施の形態では、箱Ｃの任意の面に折り目２が２本付けられているが、任意の面の２側縁部１４１、１４２間中央に折り目２が１本付けられて、任意の面が折り目２を凸にして略三角形状に変形可能としてもよい。このようにしても上記実施の形態と同様の作用効果を奏することができる。
また、この実施の形態では、情報ラベル３の情報表示ラベル３２が複数の小ラベル３２１からなるものとして例示したが、情報表示ラベルは単一の比較的大きなラベルであってもよく、箱の任意の面の２側縁部の間に２側縁部と平行に折り目が、任意の面を折り目を凸にして変形可能に付設されて、情報ラベル（単一の情報表示ラベル）が任意の面に折り目を跨いで着脱可能に貼付されることで、上記と同様に作用効果を奏することができる。
さらに、この実施の形態では、箱Ｃが既述のとおりに構成され、左側面板１４に正面側及び背面側の２側縁部１４１、１４２間にこの２側縁部１４１、１４２と平行に折り目２が形成されるものとしたが、図７−図９の６面図に示すように、この情報ラベル付き包装用箱Ｃの箱本体の形状や構造、さらに情報ラベル３の形状は任意であり、図７−図９中破線で示す箱本体及び情報ラベル３がどのような形状、構造であれ、箱Ｃ表面の角をなす平行な２側縁部の間に形成される任意の面Ｃ１の２側縁部の間に２側縁部と平行に折り目２が、任意の面Ｃ１を折り目２を凸にして変形可能に付設されて、情報ラベル３が任意の面Ｃ１に折り目２の上から折り目２を跨いで着脱可能に貼り付けられていればよく、このようにすることにより、箱本体や情報ラベルがどのような形状、構造であっても上記実施の形態と同様の作用効果を奏することができる。
【符号の説明】
【００２３】
Ｃ  情報ラベル付き包装用箱
１１ 背面板
１１１  接続片
１２ 右側面板
１３ 正面板
１４ 左側面板
１４１  側縁部
１４２  側縁部
１４３  上縁部
１４４  下縁部
１５  底面板
１５３  左のフラップ
１５４  右のフラップ
１５５  内蓋
１５６  外蓋
１６  天蓋
１６１  蓋
１６２  差し込み片
１６３  左のフラップ
１６４  右のフラップ
２  折り目
２１  天面側端部
２２  底面側端部
２３  天面側端部
２４  底面側端部
３  情報ラベル
３１  剥離シート
３２  情報表示ラベル
３２１  小ラベル
３３  切り取り線
【図１】
2019104514.tif 000003
【図２】
2019104514.tif 000004
【図３】
2019104514.tif 000005
【図４】
2019104514.tif 000006
【図５】
2019104514.tif 000007
【図６】
2019104514.tif 000008
【図７】
2019104514.tif 000009
【図８】
2019104514.tif 000010
【図９】
2019104514.tif 000011